(57)【特許請求の範囲】
【請求項１】
洗浄ハンドルに連結されて洗浄タンク内に延出したスピンドルと、該スピンドルの先端側に設けられた玉鎖の取付部及び引上げ部とを有し、該取付部に大洗浄用の玉鎖と小洗浄用の玉鎖とを取り付けて、該スピンドルの一方向の回転により前記引上げ部にて前記大洗浄用の玉鎖と小洗浄用の玉鎖との一方の玉鎖を引き上げ、逆方向の他方向の回転により該引上げ部にて他方の玉鎖を引き上げることによって、洗浄水を大量放出する大洗浄と小量放出する小洗浄とを行わせる洗浄操作装置において、
前記スピンドルに対する先端面からの正面視において左，右に分かれて前記取付部からそれぞれ下向きに垂れ下った前記大洗浄用の玉鎖と小洗浄用の玉鎖との左右方向の間の位置で、前記取付部よりも設定距離下側位置まで引上げアームを下向きに延び出させて前記引上げ部となし、
前記スピンドルの前記一方向の回転により該引上げアームを同方向に回転させて、該引上げアームの先端部を、前記大洗浄用の玉鎖と小洗浄用の玉鎖との前記他方の玉鎖を前記取付部から垂れ下らせたまま、前記一方の玉鎖に引掛けて該一方の玉鎖を引き上げ、また前記スピンドルの前記他方向の回転により該一方の玉鎖を前記取付部から垂れ下らせたまま、該他方の玉鎖に引掛けて該他方の玉鎖を引き上げるようになしたことを特徴とする洗浄操作装置。
【請求項２】
請求項１において、前記引上げアームが板状のリブにて構成してあることを特徴とする洗浄操作装置。
【請求項３】
請求項２において、前記引上げアームを構成する前記板状のリブが１枚であることを特徴とする洗浄操作装置。
【請求項４】
請求項１〜３の何れかにおいて、前記スピンドルと前記取付部及び前記引上げアームが一体構造をなしていることを特徴とする洗浄操作装置。
【請求項５】
請求項１〜４の何れかにおいて、前記取付部に取り付けられた前記玉鎖を、該取付部から前記左右方向の外方に外れ防止する第１外れ防止部が該取付部に続いて設けてあることを特徴とする洗浄操作装置。
【請求項６】
請求項５において、前記第１外れ防止部は、前記取付部に取り付けられた、上下に隣接した一対の玉のうちの下側の玉を内部に収容する状態に該下側の玉を前記左右方向の外方から覆うカバー部を有していることを特徴とする洗浄操作装置。
【請求項７】
請求項１〜６の何れかにおいて、前記引上げアームに対して前記スピンドルの軸方向の前後の位置で、該引上げアームに沿って下向きに延び、前記玉鎖に対して前後方向に当接するガイド壁を有し、該ガイド壁の当接作用により該玉鎖を該引上げアームに沿った垂れ下り位置から前後方向に外れ防止する第２外れ防止部が設けてあることを特徴とする洗浄操作装置。
【発明の詳細な説明】
【技術分野】
【０００１】
この発明は便器の洗浄タンクに設けられ、玉鎖を引き上げてタンク底部の排水弁を開操作する洗浄操作装置に関する。
【背景技術】
【０００２】
従来、洗浄ハンドルに連結されて洗浄タンク内に延出したスピンドルと、スピンドルの先端側に設けられた玉鎖の取付部及び引上げ部とを有し、取付部に大洗浄用の玉鎖と小洗浄用の玉鎖とを取り付けて、スピンドルの一方向の回転により引上げ部にて大洗浄用の玉鎖と小洗浄用の玉鎖との一方の玉鎖を引き上げ、逆方向の他方向の回転により引上げ部にて他方の玉鎖を引き上げることによって、洗浄水を大量放出する大洗浄と小量放出する小洗浄とを行わせる洗浄操作装置が公知である。
【０００３】
図１５はその具体例を示している。
図において、２００は洗浄ハンドル２０２に連結されて洗浄タンク内に延出するスピンドルで、２０４はこれとは別体に構成されたレバー部であり、筒部２０６及び結合ピン２０８にてスピンドル２００と結合されるようになっている。
また２１０は洗浄操作装置２１２、具体的にはスピンドル２００及び洗浄ハンドル２０２を洗浄タンクのタンク壁に固定するために、スピンドル２００に嵌められたナットである。
【０００４】
レバー部２０４は、スピンドル２００の先端側の位置で下向きに立ち下る板状の立下り部２１４と、立下り部２１４の下端からスピンドル２００の軸方向の前方に延出するとともに、スピンドル２００に対する正面視において左右方向に張り出した板状部２１６とを有しており、その板状部２１６の、左右方向に大きく距離を隔てて配置された取付部２１８と２２０とに、大洗浄用の玉鎖２２２と小洗浄用の玉鎖２２４とが固定状態に取り付けられている。
【０００５】
この図１５に示す洗浄操作装置２１２では、取付部２１８を上昇させる方向に洗浄ハンドル２０２にてスピンドル２００を回転させると、大洗浄用の玉鎖２２２が引き上げられる一方、小洗浄用の玉鎖２２４が押し下げられ、また洗浄ハンドル２０２にてスピンドル２００を逆方向に回転させると、今度は取付部２２０が上昇して小洗浄用の玉鎖２２４が引き上げられ、大洗浄用の玉鎖２２２が下向きに押し下げられる。
尚、この図１５に示す洗浄操作装置は下記特許文献１，特許文献２に開示されている。
【０００６】
しかしながらこの図１５に示す洗浄操作装置の場合、レバー部２０４が大形状をなしているために、これをスピンドル２００と一体構造としてしまうと、固定用のナット２１０をスピンドル２００に嵌め合せることができない。
そのため図１５に示す装置では、レバー部２０４とスピンドル２００とを別体構造となしている。
この場合、装置の所要部品点数が多くなり、コストが高くなってしまう。また洗浄タンク内でレバー部２０４が広いスペースを占有してしまう。
近年、洗浄タンクは小型化してきており、これに伴って内部のスペースが狭小化してきている中で、レバー部２０４が洗浄タンク内で広いスペースを占有してしまうといったことは望ましくない。
【先行技術文献】
【特許文献】
【０００７】
【特許文献１】特開２００９−２４３０９７号公報
【特許文献２】特開２００７−４６３４９号公報
【発明の概要】
【発明が解決しようとする課題】
【０００８】
本発明は以上のような事情を背景とし、所要部品点数が少なくコストが安価で、しかも洗浄タンク内で占めるスペースを少なくすることのできる洗浄操作装置を提供することを目的としてなされたものである。
【課題を解決するための手段】
【０００９】
而して請求項１のものは、洗浄ハンドルに連結されて洗浄タンク内に延出したスピンドルと、該スピンドルの先端側に設けられた玉鎖の取付部及び引上げ部とを有し、該取付部に大洗浄用の玉鎖と小洗浄用の玉鎖とを取り付けて、該スピンドルの一方向の回転により前記引上げ部にて前記大洗浄用の玉鎖と小洗浄用の玉鎖との一方の玉鎖を引き上げ、逆方向の他方向の回転により該引上げ部にて他方の玉鎖を引き上げることによって、洗浄水を大量放出する大洗浄と小量放出する小洗浄とを行わせる洗浄操作装置において、前記スピンドルに対する先端面からの正面視において左，右に分かれて前記取付部からそれぞれ下向きに垂れ下った前記大洗浄用の玉鎖と小洗浄用の玉鎖との左右方向の間の位置で、前記取付部よりも設定距離下側位置まで引上げアームを下向きに延び出させて前記引上げ部となし、前記スピンドルの前記一方向の回転により該引上げアームを同方向に回転させて、該引上げアームの先端部を、前記大洗浄用の玉鎖と小洗浄用の玉鎖との前記他方の玉鎖を前記取付部から垂れ下らせたまま、前記一方の玉鎖に引掛けて該一方の玉鎖を引き上げ、また前記スピンドルの前記他方向の回転により該一方の玉鎖を前記取付部から垂れ下らせたまま、該他方の玉鎖に引掛けて該他方の玉鎖を引き上げるようになしたことを特徴とする。
【００１０】
請求項２のものは、請求項１において、前記引上げアームが板状のリブにて構成してあることを特徴とする。
【００１１】
請求項３のものは、請求項２において、前記引上げアームを構成する前記板状のリブが１枚であることを特徴とする。
【００１２】
請求項４のものは、請求項１〜３の何れかにおいて、前記スピンドルと前記取付部及び前記引上げアームが一体構造をなしていることを特徴とする。
【００１３】
請求項５のものは、請求項１〜４の何れかにおいて、前記取付部に取り付けられた前記玉鎖を、該取付部から前記左右方向の外方に外れ防止する第１外れ防止部が該取付部に続いて設けてあることを特徴とする。
【００１４】
請求項６のものは、請求項５において、前記第１外れ防止部は、前記取付部に取り付けられた、上下に隣接した一対の玉のうちの下側の玉を内部に収容する状態に該下側の玉を前記左右方向の外方から覆うカバー部を有していることを特徴とする。
【００１５】
請求項７のものは、請求項１〜６の何れかにおいて、前記引上げアームに対して前記スピンドルの軸方向の前後の位置で、該引上げアームに沿って下向きに延び、前記玉鎖に対して前後方向に当接するガイド壁を有し、該ガイド壁の当接作用により該玉鎖を該引上げアームに沿った垂れ下り位置から前後方向に外れ防止する第２外れ防止部が設けてあることを特徴とする。
【発明の作用・効果】
【００１６】
以上のように本発明は、取付部からそれぞれ左右に分かれて下向きに垂れ下った大洗浄用の玉鎖と小洗浄用の玉鎖との左右方向の間の位置で、玉鎖の取付部よりも設定距離下側位置まで引上げアームを下向きに延び出させ、そしてスピンドルの回転とともに引上げアームを一方向に回転させて、その先端部を、大洗浄用の玉鎖と小洗浄用の玉鎖との一方の玉鎖に引掛けてこれを引き上げるとともに、他方の玉鎖についてはこれを取付部から垂れ下らせたままとし、また引上げアームの上記とは逆方向の回転により、今度はその先端部を他方の玉鎖に引掛けてこれを引き上げるとともに、一方の玉鎖については取付部から垂れ下らせたままとするようになしたものである。
【００１７】
本発明の洗浄操作装置は、従来の洗浄操作装置のように大洗浄用及び小洗浄用の玉鎖のそれぞれの取付部を、スピンドルの回転によって持ち上げるのではなく、取付部とは別に且つ取付部よりも設定距離下側位置まで下向きに延び出させた引上げアームの先端部を、回転方向の違いによって大洗浄用の玉鎖と小洗浄用の玉鎖との何れか一方に引掛けて、これを引き上げるようになしたものである。
【００１８】
従って本発明の洗浄操作装置では、大洗浄用の玉鎖の取付部と小洗浄用の玉鎖の取付部とを、スピンドルに対する正面視において左右に大きく距離を隔てて配置しておく必要もないし、またそれら取付部を上向きに引き上げるためのアームを同じく左右方向に長く張り出させておく必要もない。
【００１９】
即ち大洗浄用の玉鎖の取付部と小洗浄用の玉鎖の取付部とを左右に近接して配置しておくことができるし、また引上げアームを単に下向きに延び出させておくだけでよく、これによりそれら取付部や引上げアーム等を小形状化し得て、それらが洗浄タンク内で占めるスペースを小スペース化することができる。
【００２０】
ここで上記引上げアームは板状のリブにて構成しておくことができる（請求項２）。
【００２１】
また引上げアームは、これを１枚の板状のリブにて構成することができる（請求項３）。
このようにすることで、大洗浄用と小洗浄用とで２枚のリブを設けておく必要がなくなるため、引上げアームをより小形状化することができる。
【００２２】
また本発明では、上記スピンドルと取付部及び引上げアームとを一体構造となしておくことができる（請求項４）。
本発明では、取付部及び引上げアームを、スピンドルに対する正面視において左右方向に幅広の形状とする必要がなく、狭小幅でこれらを構成することができる。
そのため固定用のナットをそれらに通すことが可能であり、従って本発明では取付部及び引上げアームをスピンドルと一体に構成しておくことが可能となる。
而してそのようにすれば装置の所要部品点数を少なくでき、コストを安価となすことができる。
【００２３】
本発明では、取付部に取り付けられた玉鎖を、取付部から左右方向の外方に外れ防止する第１外れ防止部を取付部に続いて設けておくことができる（請求項５）。
このようにしておけば、引上げアームの回転によって引き上げられず、取付部から垂れ下ったままとなる側の玉鎖が取付部から左右方向外方に外れてしまうのを有効に防止することができる。
これにより、玉鎖が左右方向の外方に外れて取付部から脱落してしまうのを有効に防止することができる。
【００２４】
この場合においてその第１外れ防止部は、取付部に取り付けられた、上下に隣接した一対の玉のうちの下側の玉を内部に収容する状態に、下側の玉を左右方向の外方から覆うカバー部を有するものとなしておくことができる（請求項６）。
【００２５】
本発明ではまた、上記の引上げアームに対してスピンドルの軸方向の前後の位置で引上げアームに沿って下向きに延び、玉鎖に対して前後方向に当接するガイド壁を有し、そのガイド壁の当接作用により玉鎖が引上げアームに沿った垂れ下り位置から前後方向に外れ防止する第２外れ防止部を設けておくことができる（請求項７）。
【００２６】
このようにしておけば、玉鎖が引上げアームに沿った垂れ下り位置から前後方向に外れてしまうことにより、引上げアームを回転させたときに、その先端部で玉鎖を引き上げ損ない、洗浄不良を生ぜしめてしまうのを有効に防ぐことができる。
【図面の簡単な説明】
【００２７】
【図１】本発明の実施形態の洗浄操作装置を洗浄タンク等とともに示した図である。
【図２】図１のフラッパ弁とその周辺部を示した図である。
【図３】図２のフラッパ弁とその周辺部を拡大して示した図である。
【図４】同実施形態の洗浄操作装置を示した図である。
【図５】同実施形態の洗浄操作装置の要部を夫々拡大して示した図である。
【図６】同実施形態の洗浄操作装置の要部を図５とは異なった方向で示した図である。
【図７】同実施形態の洗浄操作装置における要部と玉鎖との結合関係を示した図である。
【図８】同実施形態の要部の作用説明図である。
【図９】同実施形態の利点を説明するために比較例を示した比較例図である。
【図１０】大洗浄時におけるフラッパ弁とフロート等の作用説明図である。
【図１１】図１０に続く作用説明図である。
【図１２】図１１に続く作用説明図である。
【図１３】小洗浄時におけるフラッパ弁とフロート等の作用説明図である。
【図１４】図１３に続く作用説明図である。
【図１５】従来公知の洗浄操作装置を示した図である。
【発明を実施するための形態】
【００２８】
次に本発明の実施形態を図面に基づいて詳しく説明する。
図１において、１０は洗浄タンク（以下単にタンクとする）で、アウタタンク１２と、インナタンク１４とを有している。
図中１６はタンク１０の底部を、１８はタンク壁を表している。
タンク１０の底部１６には、図２に示しているように内部の洗浄水を便器に向けて放出する排水口２０と、これを開閉する排水弁としてのフラッパ弁２２とが設けられている。
図２において、２４は排水口２０に連通して設けられたオーバーフロー管で、タンク１０の内部において底部１６から上向きに立ち上がっている。
【００２９】
フラッパ弁２２は、図３に詳しく示しているようにシール部材２６を保持した円板状の弁部２８と、これから図中右方に延び出した一対のアーム３０とを有している。
アーム３０の夫々の図中右端部にはフック状の掛止部３２が設けられており、これら一対の掛止部３２が、オーバーフロー管２４の周方向に１８０°隔たった２個所から突出した軸部３４に回転可能に下向きに掛止されている。
フラッパ弁２２は、軸部３４に対する掛止部３２の掛止に基づき、軸部３４周りに回転運動することによって開閉動作する。
【００３０】
図１において、３６は一定ピッチで配置された玉３８と、それらを繋ぐ線材からなる繋ぎ材４０とを有する大洗浄用の玉鎖で、その下端部が、フラッパ弁２２における弁部２８の外周部位に、取付部４２において固定状態に取り付けられている。
尚、排水口２０の上端の開口周りに設けられた弁座４４は、図３中左方向に向って斜め下向きに傾斜しており、従ってフラッパ弁２２は、閉弁状態で弁部２８が同じく左方向に向って斜め下向きに傾斜した状態となる。
【００３１】
図３において、４６はフラッパ弁２２の動作を小洗浄動作に切り替える切替機構で、この切替機構４６は、弁部２８の下側に空気チャンバ４８を有している。この空気チャンバ４８は、内側に空気室５０を形成している。
尚この空気チャンバ４８は、下部が下向きに先細りとなるテーパ部５２とされている。このテーパ部５２の下端は開口部５４とされている。
切替機構４６はまた、円筒状の筒壁５６と、筒壁５６内部を上下に摺動し、空気室５０の上端の開口５７を開閉する切替弁５８と、切替弁５８を図中下向きの閉弁方向に付勢するばね（ここではコイルばね）６０とを有している。
【００３２】
ここで切替弁５８は、シール部材６２を保持した円板状の弁部６４と、内部中空の軸部６６とを有している。
軸部６６の端部は取付部６８とされており、そこに玉３８と繋ぎ材４０とを有する小洗浄用の玉鎖７０の下端部が固定状態に取り付けられている。
また切替機構４６における筒壁５６には、これを貫通して水流入口７２が設けられている。
【００３３】
本実施形態において、切替機構４６は次のように働く。
切替弁５８が閉弁状態にあり、空気室５０に空気が溜められた状態の下では、フラッパ弁２２は開弁及び閉弁によって大洗浄、即ち便器に向けて洗浄水を大量放出する大洗浄のための動作を行う。
【００３４】
一方切替弁５８を図中上向きに引き上げて開弁させると、ここにおいて筒壁５６周りの外部の水が、流入口７２より筒壁５６内部に流入し、更に開口５７を通じて空気室５０に入り込み、空気室５０を水で埋める。
このときにはフラッパ弁２２は小洗浄、即ち便器に向けて洗浄水を少量放出する小洗浄のための動作を行う。
即ちこの実施形態では、切替弁５８を開弁させることによって、フラッパ弁２２の動作を小洗浄の動作に切り替える。
尚その切替えの具体的な原理については後述する。
【００３５】
７４は、その内部に小洗浄用の玉鎖７０を挿通させる円筒形状の筒体で、７６はそのガイド部である。
ガイド部７６は、筒体７４を間にして互いに対向する板状の一対のガイド壁７８と、その下側の筒部８０を有しており、切替機構４６における筒壁５６の上端開口を閉鎖する上壁部８２と一体に構成されている。
筒体７４は、このガイド部７６における筒部８０に下端を当接させ、そこに下向きの力を及ぼす。
【００３６】
図１及び図２において、８４はフロートでドーナツ環状の密閉された空気室８６を有しており、そこに空気を保持している。
またその中心部には挿通孔８８を有し、その挿通孔８８に小洗浄用の玉鎖７０が上下方向に挿通されている。
ここでフロート８４は、小洗浄用の玉鎖７０に沿って上下に相対移動可能である。
【００３７】
図１に示しているように、小洗浄用の玉鎖７０には所定高さ位置にストッパ９０が固定状態に取り付けられている。
但しこのストッパ９０は、小洗浄用の玉鎖７０に対する固定位置を上下に調節することが可能である。
【００３８】
ここでストッパ９０は、筒体７４が上記のガイド部７６の筒部８０に下向きに当った状態の下で、筒体７４の上端とストッパ９０との間の距離が、フロート８４の上下寸法よりも一定距離大となるような位置で、小洗浄用の玉鎖７０に固定されている。
従ってフロート８４は、筒体７４の上端とストッパ９０との間で小洗浄用の玉鎖７０に沿って所定距離上下に相対移動することができる。
【００３９】
図１において、９２は本実施形態の洗浄操作装置で、タンク壁１８に固定された洗浄ハンドル９４と、これに連結されてタンク内に延出したスピンドル９６とを有している。
図４において、９８は洗浄ハンドル９４及びスピンドル９６をタンク壁１８に取り付けるための取付部材で、雄ねじ部１００を有しており、そこにナット１０２がねじ込まれることでタンク壁１８に固定されている。
【００４０】
スピンドル９６は、先端側に角形状の雄嵌合部１０４と、弾性を有する嵌込部１０６とを有しており、その雄嵌合部１０４を洗浄ハンドル９４の対応する角形状の雌嵌合部１０８に嵌合させる状態に、嵌込部１０６が洗浄ハンドル９４に設けられた嵌込孔１１０に弾性的に嵌め込まれている。
これによりスピンドル９６が、取付部材９８の中心の挿通孔を挿通して洗浄ハンドル９４に軸方向及び回転方向に固定されている。
ここでスピンドル９６はタンク内奥部に向って直線状に延びている。
【００４１】
スピンドル９６の先端側には、スピンドル９６に対して直角に湾屈曲したレバー部１１２が一体に設けられている。
ここでレバー部１１２は縦向き、即ち通常の状態において、垂直下向きに延びている。
尚この実施形態において、図４に示しているようにレバー部１１２は、ナット１０２を嵌めてこれを通過させることが可能なサイズである。スピンドル９６もまた同様である。
【００４２】
レバー部１１２は、図５（Ｃ）及び図６に示しているように先端側（図中下端側）にヘッド部１１４を有している。
またヘッド部１１４は、その上端部に且つスピンドル９６に対する正面視において左，右の位置に、大洗浄側の取付部１１６と、小洗浄側の取付部１１８とを有している。
そして取付部１１６に大洗浄用の玉鎖３６が、また取付部１１８に小洗浄用の玉鎖７０が、夫々固定状態に取り付けられている。
【００４３】
ここで各取付部１１６，１１８は、図５（Ａ），（Ｃ）及び図６に示しているように、夫々上記の繋ぎ材４０を上下方向に挿通する挿通孔１２０と、そこに挿通された繋ぎ材４０の上側の玉３８ａ（図７参照）と下側の玉３８ｂとに係合する係合部１２２とを有している。
大洗浄用の玉鎖３６及び小洗浄用の玉鎖７０の夫々は、繋ぎ材４０を挿通孔１２０に挿通し、上側の玉３８ａと下側の玉３８ｂとに係合部１２２を係合させることで各取付部１１６，１１８に取り付けられる。
これら取付部１１６，１１８に取り付けられた大洗浄用の玉鎖３６と小洗浄用の玉鎖７０とは、夫々取付部１１６，１１８から左，右に分かれて下向きに垂れ下がった状態となる。
【００４４】
ヘッド部１１４は、また、取付部１１６と１１８との左右の間の位置において、取付部１１６，１１８よりも設定距離下側位置まで垂直下向きに延び出た引上げアーム１２４を有している。
ここで引上げアーム１２４は１枚の板状のリブにて構成してある。
この引上げアーム１２４は、大洗浄用の玉鎖３６及び小洗浄用の玉鎖７０の何れにも固定されておらず、通常時においてそれらに対しフリーの状態にある。
【００４５】
そして大洗浄用の玉鎖３６，小洗浄用の玉鎖７０の夫々は、取付部１１６，１１８から引上げアーム１２４に沿って垂直下向きに垂れ下がった状態にある。
従ってこの状態で洗浄ハンドル９４を、図１中右からの正面視において反時計方向に回転させると、これと同方向にスピンドル９６及び引上げアーム１２４が回転し、引上げアーム１２４がその先端部１２４ａを、大洗浄用の玉鎖３６に引掛けてこれを引き上げる。
【００４６】
ここにおいてフラッパ弁２２が引き上げられて開弁し、タンク１０内の洗浄水が大量放出されて便器の大洗浄が行われる。
このとき、小洗浄用の玉鎖７０は当然ながら引上げアーム１２４にて引き上げられることはなく、取付部１１８から垂れ下がったままとなる。
【００４７】
逆に洗浄ハンドル９４を、図１中右側からの正面視において時計方向に回転させると、今度は同方向に回転する引上げアーム１２４がその先端部１２４ａを、小洗浄用の玉鎖７０に引掛けてこれを引き上げる。
而して小洗浄用の玉鎖７０が引き上げられると、上記の切替弁５８及びばね６０を介してフラッパ弁２２が引き上げられ、ここにおいてフラッパ弁２２が開弁して、タンク内の洗浄水が便器に向けて少量放出され、便器の小洗浄が行われる。
このとき、大洗浄用の玉鎖３６は引上げアーム１２４によって引き上げられることはなく、取付部１１６から下向きに垂れ下がったままである。
【００４８】
ヘッド部１１４は、更に、図５及び図６に示しているように引上げアーム１２４に対してスピンドル９６の軸方向の前後の位置で、取付部１１６，１１８から引上げアーム１２４に沿って下向きに延びる、前後に対向した各一対の板状のガイド壁１２８を有する、大洗浄側の外れ防止部（第２外れ防止部）１３０と、小洗浄側の外れ防止部（第２外れ防止部）１３２とを備えている。
【００４９】
大洗浄側の外れ防止部１３０は、大洗浄用の玉鎖３６に対するガイド壁１２８の前後方向の当接作用により、引上げアーム１２４に沿った垂れ下り位置にある大洗浄用の玉鎖３６が、その垂れ下り位置から前後方向に外れ防止する働きを有している。
【００５０】
同様に小洗浄側の外れ防止部１３２もまた、小洗浄用の玉鎖７０に対するガイド壁１２８の前後方向の当接作用により、引上げアーム１２４に沿った垂れ下り位置から小洗浄用の玉鎖７０が前後方向に外れるのを防止する働きを有する。
【００５１】
これら外れ防止部１３０及び１３２による玉鎖の外れ防止は、次のような意味を有している。
タンクの種類やサイズ等によっては、玉鎖３６，７０の上端側の取付部１１６，１１８への取付位置と、フラッパ弁２２側の下端側の位置とが、スピンドル９６の軸方向の前後に一定以上異なる場合がある。
【００５２】
この場合、上記のガイド壁１２８を有する外れ防止部１３０，１３２が設けてないと、図９の比較例図に示すように大洗浄用の玉鎖３６，小洗浄用の玉鎖７０が、それぞれ引上げアーム１２４に沿った垂れ下り位置から前後方向に外れてしまうことがある。
そのような状態になると、引上げアーム１２４を回転させても、その先端部１２４ａを玉鎖３６，７０の予め定めた位置に引掛けて、これを引上げ動作することができなくなってしまう。
そこでここでは、一対のガイド壁１２８を有する外れ防止部１３０，１３２を設けてこれを防止するようになしている。
【００５３】
ヘッド部１１４はまた、引上げアーム１２４の回転時に垂れ下り側となる玉鎖が取付部から左右方向外方に外れるのを防止する、上記とは別の外れ防止部（第１の外れ防止部）として、大洗浄側の外れ防止部１３４と、小洗浄側の外れ防止部１３６とを備えている。
【００５４】
ここで外れ防止部１３４，１３６は、それぞれ取付部１１６，１１８からガイド壁１２８に沿って湾曲しながら下向きに延びるカバー部１３８と、取付部１１６，１１８の挿通孔１２０に続いてカバー部１３８に設けられたスリット１４０とを有している。
【００５５】
ここでカバー部１３８は、図７に示しているように取付部１１６，１１８に取り付けられた、上下に隣接した一対の玉３８ａ，３８ｂのうちの下側の玉３８ｂを内部に収容する状態に、下側の玉３８ｂを左右方向の外方から覆う形状をなしている。
【００５６】
尚スリット１４０は、玉鎖３６，７０を取付部１１６，１１８に取り付けるに当って、図８に示すように玉鎖３６，７０における繋ぎ材４０を、カバー部１３８を通過して取付部１１６，１１８の挿通孔１２０に持ち来すためのものである。
このときには、図８に示すように下側の玉３８ｂをカバー部１３８の内側に先ず嵌め入れた状態とし、その状態でスリット１４０に沿って繋ぎ材４０を上側の玉３８ａとともに取付部１１８，１１６側に移動させる。
ここでカバー部１３８の下端には、繋ぎ材４０をスリット１４０に向けて案内する傾斜形状の案内部１４４が設けてある。
【００５７】
尚、ヘッド部１１４の上端からは、引上げアーム１２４に連続して補強用のリブ１４２がスピンドル９６に向って延びている。
この補強用のリブ１４２は、引上げアーム１２４の一部を成していると考えることもできる。
【００５８】
次に本実施形態の作用を説明する。
この実施形態において、洗浄ハンドル９４が図４に示す中立位置にあるとき、図１０（Ｉ）に示しているようにフラッパ弁２２は閉弁状態にあり、またフロート８４は水中に没した位置でストッパ９０に上向きに当接した状態にある。
またこのとき、フラッパ弁２２に設けられている空気室５０の内部は空気で満たされている。
【００５９】
この状態から洗浄ハンドル９４を大洗浄側、つまり上記した反時計方向に回転させると、レバー部１１２に設けられた引上げアーム１２４が同方向に回転し、そしてその先端部１２４ａを、大洗浄用の玉鎖３６の、取付部１１６から設定距離下側の部位を引掛けて玉鎖３６を一定の所要の距離だけ引き上げる。
これにより、図１０（II）に示しているようにフラッパ弁２２が玉鎖３６によって持ち上げられ、開弁する。
開弁したフラッパ弁２２は、依然として水中に没した状態のフロート８４による浮力と，空気チャンバ４８による浮力とによって，その後も開弁状態に維持され、タンク１０内の洗浄水が排水口２０から便器に向けて放出される。
【００６０】
タンク１０内の洗浄水の放出に伴って、タンク内の水位Ｗは降下していく。
そして図１１（III）に示しているように、水位Ｗがフロート８４の上端から一定距離下側位置まで下がったところで、フロート８４に作用する浮力とフロート８４自体の重力とがバランスした状態となり、その後フロート８４は水位Ｗの降下に連れて下向きに移動して行く。
【００６１】
尚このとき、空気チャンバ４８の内部の空気室５０は依然として空気で満たされた状態にあり、従って空気チャンバ４８に対しては引き続き浮力が作用しており、図１１（IV）に示すようにフロート８４が水位Ｗの降下に連動して下向きに移動しても、フラッパ弁２２は依然として開弁状態に保持されている。
従って図１１（IV）に示しているように、フロート８４はストッパ９０から離れて単独で小洗浄側の玉鎖７０に沿って下向きに移動していく。
【００６２】
単独で下向きに移動したフロート８４は、ストッパ９０から離れて一定距離下がったところで、図１２（Ｖ）に示しているように筒体７４の上端に当接するに到る。
この状態から水位Ｗが更に降下すると、フロート８４に対する浮力はますます減少し、これに伴ってフロート８４の重みが筒体７４にかかり、且つ水位Ｗの降下に伴って筒体７４に加わる重みが増大していく。
【００６３】
即ち筒体７４をフロート８４が下向きに押す力が漸次増大していく。
そしてその下向きの力が、空気チャンバ４８に対する浮力よりも打ち勝つに到ると、フラッパ弁２２が開弁状態を維持できなくなって、その後は水位Ｗの降下に伴ってフラッパ弁２２が閉弁開始し、最終的にフラッパ弁２２が完全閉弁状態となる。
ここにおいて排水口２０からの洗浄水の放出が停止する。
【００６４】
一方洗浄ハンドル９４を大洗浄時とは逆の小洗浄側、つまり上記の時計方向に回転させると、今度はレバー部１１２の引上げアーム１２４がその先端部１２４ａを、小洗浄用の玉鎖７０に引掛けて、詳しくは小洗浄用の玉鎖７０の、取付部１１８から設定距離下側の部位に引掛けて、玉鎖７０を一定の所要距離だけ引き上げる。
【００６５】
このとき、フラッパ弁２２が閉弁した状態の下で先ず切替機構４６の切替弁５８が、ばね６０の付勢力に抗して上向きに引き上げられる。
すると空気室５０の上端の開口５７が開放状態となって、流入口７２を通じ空気室５０にタンク１０内の水が流入して、空気室５０を水で埋める。
【００６６】
上向きに引き上げられた切替弁５８が、筒壁５６の上端を閉鎖している上壁部８２に当ると、小洗浄用の玉鎖７０による引上げ力がフラッパ弁２２自体に及ぼされ、ここにおいてフラッパ弁２２が開弁動作する。
このとき、弁座４４から離れたフラッパ弁２２は速やかにばね６０の付勢力で切替弁５８に対し相対的に上向き移動する。即ち一旦開弁した切替弁５８が、その後速やかにもとの閉弁状態に戻る。
そしてその状態でフラッパ弁２２が小洗浄用の玉鎖７０により引き上げられ、その後最大開弁状態となる（図１３（Ｉ）参照）。
【００６７】
フラッパ弁２２の開弁によって、タンク１０内の洗浄水は放出され、水位Ｗはその放出に伴って降下していく。
そして図１３（II）に示すようにフロート８４の頭が僅かに水面から露出した位置となると、そこでフロート８４に対する浮力とフロート８４に対して下向きに加わる力とが釣り合った状態となり（大洗浄時と異なって、小洗浄時には空気チャンバ４８に対して浮力は働いていない）、その後は水位Ｗの降下と一緒にフロート８４が降下即ち下向きに移動し、これに伴ってフラッパ弁２２は弁開度を漸次少なくしていき、そして図１４に示すように最終的に弁座４４に着座して完全閉弁状態となる。
【００６８】
この間、空気チャンバ４８に対して浮力は働いていないため、フロート８４はストッパ９０に当った状態を維持したまま、即ち筒体７４との間に一定の距離を隔てた状態を維持したまま、水位Ｗの降下と一緒に下向きに移動していく。
そのためにこの小洗浄時においては、フラッパ弁２２が完全開弁してから閉弁開始するまでの時間が短く、即ち大洗浄時に較べて早い段階で閉弁開始し、閉弁状態に到る。
そのため、小洗浄時においては洗浄水の放出水量が少なく、少ない水量で便器洗浄（小洗浄）を行う。
【００６９】
以上のように本実施形態の洗浄操作装置９２は、従来の洗浄操作装置のように大洗浄用及び小洗浄用の玉鎖のそれぞれの取付部を、スピンドルの回転によって持ち上げるのではなく、取付部とは別に且つ取付部よりも設定距離下側位置まで下向きに延び出させた引上げアーム１２４の先端部１２４ａを、回転方向の違いによって大洗浄用の玉鎖３６と小洗浄用の玉鎖７０との何れか一方に引掛けて、これを引き上げるようになしたものである。
【００７０】
従って本実施形態の洗浄操作装置９２では、大洗浄用の玉鎖３６の取付部１１６と、小洗浄用の玉鎖７０の取付部１１８とを、スピンドル９６に対する正面視において左右に大きく距離を隔てて配置しておく必要もないし、またそれら取付部１１６，１１８を上向きに引き上げるための引上げアームを同じく左右方向に長く張り出させておく必要もない。
【００７１】
即ち大洗浄用の玉鎖３６の取付部１１６と小洗浄用の玉鎖７０の取付部１１８とを、左右に近接して配置しておくことができるし、また引上げアーム１２４を単に下向きに延び出させておくだけでよく、これによりそれら取付部１１６，１１８や引上げアーム１２４等を含むレバー部１１２を小形状化し得て、それらが洗浄タンク１０内で占めるスペースを小スペース化することができる。
【００７２】
またレバー部１１２は固定用のナット１０２を通すことが可能で、そのため本実施形態では取付部１１６，１１８及び引上げアーム１２４を含むレバー部１１２とスピンドル９６とが一体化してあり、而してそのようにすることで装置の所要部品点数を少なくでき、コストを安価となすことができる。
【００７３】
本実施形態では、取付部１１６，１１８に取り付けられた玉鎖３６，７０を、取付部１１６，１１８から左右方向の外方に外れ防止する大洗浄側の外れ防止部１３４，小洗浄側の外れ防止部１３６が設けてあるため、引上げアーム１２４の回転によって引き上げられず、垂れ下ったままとなる側の玉鎖３６，７０が取付部１１６，１１８から左右方向外方に外れてしまうのを有効に防止することができる。
これにより、玉鎖３６，７０が左右方向の外方に外れて取付部１１６，１１８から脱落してしまうのを有効に防止することができる。
【００７４】
また本実施形態では上記とは別に、更に大洗浄側の外れ防止部１３０，小洗浄側の外れ防止部１３２が設けてあるため、玉鎖３６，７０が引上げアーム１２４に沿った垂れ下り位置から前後方向に外れてしまうことにより、引上げアーム１２４を回転させたときに、その先端部１２４ａで玉鎖３６，７０を引き上げ損ない、洗浄不良を生ぜしめてしまうのを有効に防ぐことができる。
【００７５】
以上本発明の実施形態を詳述したがこれはあくまで一例示であり、本発明は例えば大洗浄側と小洗浄側とで玉鎖の取付部の位置をスピンドルに対する正面視において前後方向に異ならせたり、高さ方向に異ならせたりすることも可能であるし、玉鎖の取付部を上記とは別の個所に設けておくことも可能である。また上記実施形態では、引上げアームを１枚の板状リブで構成していたが、これを大洗浄用及び小洗浄用の２枚の板状リブで構成することも可能である等、本発明はその趣旨を逸脱しない範囲において種々変更を加えた形態で構成可能である。
【符号の説明】
【００７６】
１０  洗浄タンク
３６，７０  玉鎖
３８  玉
４０  繋ぎ材
９２  洗浄操作装置
９４  洗浄ハンドル
９６  スピンドル
１１６，１１８  取付部
１２４  引上げアーム
１２４ａ  先端部
１２８  ガイド壁
１３０  大洗浄側の外れ防止部（第２外れ防止部）
１３２  小洗浄側の外れ防止部（第２外れ防止部）
１３４  大洗浄側の外れ防止部（第１外れ防止部）
１３６  小洗浄側の外れ防止部（第１外れ防止部）
１３８  カバー部
１４０  スリット
【図１】
0005625193.tif 000002
【図２】
0005625193.tif 000003
【図３】
0005625193.tif 000004
【図４】
0005625193.tif 000005
【図５】
0005625193.tif 000006
【図６】
0005625193.tif 000007
【図７】
0005625193.tif 000008
【図８】
0005625193.tif 000009
【図９】
0005625193.tif 000010
【図１０】
0005625193.tif 000011
【図１１】
0005625193.tif 000012
【図１２】
0005625193.tif 000013
【図１３】
0005625193.tif 000014
【図１４】
0005625193.tif 000015
【図１５】
0005625193.tif 000016